(57)【要約】【課題】  錠前をオフ位置（中立）に戻した際、鍵が鍵穴から確実に抜き出されえるようにする。【解決手段】  装置本体２の鍵穴３に鍵４を挿入し、鍵４を回動させてオン・オフ操作を行う防犯上または設備機器稼動制御用などの錠前装置１において、装置本体２の内部の鍵穴３部分に、スプリング９や、プッシュピン１１や、ガイド筒１２等からなる押出し機構５を設け、鍵穴３に鍵４を挿し込んだ際、スプリング９が縮んで復元力が発揮するようにし、鍵４をオフ側（中立）に回動させた際に、鍵４が鍵穴３から自動的に押出されるようにすることで、鍵４の引き抜き忘れを防止する。【選択図】      図１
2008163555.tif 000002
【特許請求の範囲】
【請求項１】
装置本体の鍵穴に鍵を挿入し、この鍵を回動させてオン・オフ操作を行うようにした錠前装置であって、前記装置本体には、前記鍵をオフ側に回動させた際に、前記鍵穴から自動的に鍵を押出すことのできる押出し機構が設けられることを特徴とする錠前装置。
【発明の詳細な説明】
【技術分野】
【０００１】
本発明は、錠前をオフに操作した後、確実に鍵穴から鍵を抜き出すことができるようにした技術に関する。
【背景技術】
【０００２】
従来、例えば設備機器の取り扱いに際し、通常作業中は装置のキースイッチにキーを挿し込んでオンの状態にして稼動し、異常発生時には、キースイッチをオフの状態にするとともにキー溝からキーを抜き出して点検作業等を行うことがある。この際、キーを挿し込んで装置をオンの状態にすると、キーはキー溝から抜き出すことが出来なくなり、装置をオフにすると、キー溝からキーを抜き出すことが出来るようになるが、装置をオフの状態にしても、通常、キーはキー溝に挿し込まれたままであり、意識的に抜き出さないとキーは挿し込まれた状態に維持されている。
そしてこのようにキーをオン側に操作すると、キー溝からキーを抜き取ることが出来ず、オフ側にするとキーを抜き取ることができるような構造は、例えば、キーが中立位置から外れると、キーに係合する係合片が弾性変形不能となり、キーが中立位置になると、係合片が弾性変形可能となるキー抜き出し阻止手段が採用されたキー操作式スイッチ（例えば、特許文献１参照。）に示されている。
【特許文献１】特開平６−１３１９４６号公報
【発明の開示】
【発明が解決しようとする課題】
【０００３】
ところが、上記のような設備機器のキースイッチにおいて、キーをオフ側に操作したにも拘わらず、キーが挿し込まれたままの状態で点検作業等を行うと、何らかの関係でキーがオン側に操作される危険性があり安全上好ましくなかった。
また、一般の家庭等において、家の戸締り等のための鍵を抜き忘れると、防犯効果を全く得ることが出来なかった。
【０００４】
そこで本発明は、キーをオフ側にして中立状態に戻した際、キー溝にキーが挿し込まれたままになるのを確実に防止することを目的とする。
【課題を解決するための手段】
【０００５】
上記目的を達成するため本発明は、装置本体の鍵穴に鍵を挿入し、この鍵を回動させてオン・オフ操作を行うようにした錠前装置において、前記装置本体に、前記鍵をオフ側に回動させた際に、前記鍵穴から自動的に鍵を押出すことのできる押出し機構を設けるようにした。
【０００６】
このように、鍵をオフ側に回動させた際、押出し機構により鍵を自動的に押出すようにすれば、鍵穴に鍵を挿したまま抜き忘れるような不具合を是正でき、安全性または防犯上の効果等を一層高めることができる。
ここで、押出し機構としては、例えば、錠前の鍵穴の内部に、鍵の挿入によって押し込まれ、且つそれによって反発力を生じるようなバネまたは弾性部材等を内装するようにすれば簡素に構成できる。
なお、鍵のオフ側とは、鍵をかけない中立位置のことであり、オン側とは、鍵をかけた状態（中立位置以外の状態）の位置である。また、錠前とは、設備機器等の稼動を制御するキースイッチ以外に、一般の家庭戸締り用の錠前や、自動車のキー装置なども含まれる。
【発明の効果】
【０００７】
鍵をオフ側に操作したとき、押出し機構により鍵が自動的に押出されるため、鍵を挿し込んだまま抜き忘れるような不具合がなくなり、設備機器や防犯設備の機能等を効果的に得ることができる。
【発明を実施するための最良の形態】
【０００８】
本発明の実施の形態について添付した図面に基づき説明する。
ここで図１は本発明に係る錠前装置の作用を説明する説明図、図２は同錠前装置の分解斜視図、図３は押出し機構の説明図、図４は押出し機構を利用して接点を強制的に切り離す機構を設けた実施例の説明図である。
【０００９】
本発明に係る錠前装置は、例えば設備機器の始動に使用されるキースイッチや、戸締り用の錠前や、車両始動用のキー装置などをオフにして中立状態に戻した際、鍵穴に鍵が挿し込まれたままになるのを防止できるようにされ、防犯上または安全上有効なように構成されている。
【００１０】
本錠前装置１は、本実施例では設備機器のオン・オフを制御するキースイッチとして適用され、オン側に操作すると、設備を稼動状態にすることができ、オフ側に操作すると、設備の作動を停止させることができるようにされている。そして、この錠前装置１は、図１、図２に示すように、装置本体２と、装置本体２の鍵穴３に挿入されてオン・オフ操作を行う鍵４を備えており、この錠前装置１は、鍵穴３に鍵４を挿し込んで回動させることにより、オフ状態からオン状態にすることができる一般的なキースイッチ機構が採用されている。そして本錠前装置１は、装置本体２の内部に内装される押出し機構５に特徴を有している。
【００１１】
前記装置本体２は、例えば裏側ケース６と、表側ケース７と、表側ケース７内で回動自在なシリンダ８を備えており、前記鍵穴３はシリンダ８に設けられている。そして、鍵穴３に鍵４を挿し込んでシリンダ８をオン側に回動させると、不図示の抜け出し防止機構により鍵４を鍵穴３から抜き取ることができず、シリンダ８をオフ側に回動させると、鍵穴３から鍵４を抜き取ることができるようにされている。
【００１２】
前記押出し機構５は、図３に示すように、圧縮方向に力を受けることにより縮んで復元力を発揮するスプリング９と、このスプリング９の基端側を支持するキャップ１０と、スプリング９の前方に配設されるプッシュピン１１と、スプリング９やプッシュピン１１の側方周囲を覆うガイド筒１２を備えており、前記プッシュピン１１は、ガイド筒１２の先端側端面に形成されるピン挿通孔１２ａを通して外部に露出している。
【００１３】
そして、このような押出し機構５は、プッシュピン１１の先端部が鍵穴３の入口部分に近い箇所に臨み、且つプッシュピン１１の軸線方向が鍵４の挿し込み方向に一致するような状態で裏側ケース６内にキャップ１０が固定され、鍵穴３に鍵４を挿し込むと、プッシュピン１１が押されてスプリング９が縮むようにされている。
因みに、スプリング９の強度は、鍵４を挿し込む際にたいして違和感を感じず、しかも、鍵４をオンからオフ状態に戻すと確実に鍵穴３から鍵４が押し出されるような強さにしている。
【００１４】
なお、押出し機構５を装備していない従来一般のキースイッチ装置などの場合でも、装置本体内の鍵穴部分に空間部があって、本発明のような押出し機構５を取り付けることが出来れば、既存の錠前装置であっても後付けにより本錠前装置と同様な構造に改造することができる。
【００１５】
以上のような錠前装置１の作用等について説明する。
錠前装置１をオフの状態からオンの状態にするため、図１（ａ）に示すように、鍵穴３に鍵４を挿し込む。そして挿し込んだ鍵４を（ｂ）のように回すことでオンの状態にする。このとき、押出し機構５のスプリング９は縮んだ状態になるが、不図示の抜け出し防止機構により鍵４は鍵穴３から抜き出すことができない。
【００１６】
次に、（ｃ）に示すように、鍵４をオフ位置に操作する。すると抜け出し防止機構の作用停止により鍵穴３から鍵４を抜き取ることができるようにされるとともに、スプリング９の復元力によって鍵４は自動的に鍵穴３から押出される。
この際、鍵４はオフの位置に操作するとほぼ同時に押出されるため、操作者が誤って受け取り忘れをし、鍵４が地上等に落下するような不具合は殆どない。
【００１７】
このため、鍵穴３に鍵４を挿したまま抜き忘れるような不具合がなく、設備機器などの異常状態の安全性が高まると同時に、防犯設備などにおいては防犯性が高まる。
なお、以上の実施例では、押出し機構５としてコイルスプリング９を使用した例を示したが、弾性力のある樹脂素材等を使用してもよく、また、オン側の操作したときでも、オフ側に戻すと鍵４を鍵穴３から抜き取ることができ、しかもロック状態が維持されるタイプの錠前にも適用可能である。
【００１８】
次に、押出し機構５のプッシュピン１１を利用して非常スイッチ等における接点を強制的に切り離す安全機構を構成する場合の応用例について図４に基づき説明する。
この強制的接点切り離し機構１５は、装置本体２内の任意の箇所に設けることができ、例えば裏側ケース６に取り付けされる固定接点１６と、装置本体２の軸１７回りに揺動自在なカム１８と、不図示の付勢手段により固定接点１６に向けて押し付けられ且つカム１８の揺動によって固定接点１６から離脱することが可能な可動接点１９を備えており、前記プッシュピン１１は、先端側が小径部とされ、基端側が大径部とされている。そして、カム１８とプッシュピン１１の関係は、図４（ａ）に示すように、鍵穴３に鍵４を挿し込んでプッシュピン１１を押し込むと、カム１８の下端部がプッシュピン１１の小径部に当接することで固定接点１６と可動接点１９が接触し、図４（ｂ）に示すように、鍵４が鍵穴３から押出されると、カム１８の下端部がプッシュピン１１の大径部に当接することで、可動接点１９がカム１８に押圧され、固定接点１６から離れるようにされている。
【００１９】
このため、鍵４を抜いた状態では、自動的に固定接点１６と可動接点１９が切り離されたオフの状態となり、鍵４を挿し込むことにより通常作動のオンの状態にすることができる。
勿論、このような各接点１６、１９の取り付け位置は、裏側ケース６に限られるものではなく、任意の箇所にすることができる。
【産業上の利用可能性】
【００２０】
錠前をオフの状態にしたとき、鍵穴から鍵が自動的に押出されるため、抜き忘れを防止できるようになり、防犯用の錠前や、設備機器の稼動を制御するキースイッチ等において防犯上、または安全確保上特に有効である。
【図面の簡単な説明】
【００２１】
【図１】本発明に係る錠前装置の作用を説明する説明図
【図２】同錠前装置の分解斜視図
【図３】押出し機構の説明図
【図４】押出し機構を利用して接点を強制的に切り離す機構を設けた実施例の説明図
【符号の説明】
【００２２】
１…錠前装置、２…装置本体、３…鍵穴、４…鍵、５…押出し機構、９…スプリング。
【図１】
2008163555.tif 000003
【図２】
2008163555.tif 000004
【図３】
2008163555.tif 000005
【図４】
2008163555.tif 000006